(57)【要約】【課題】  同一の記述内容が異なる複数のページで共通に使われる様に構成された多数のページからなる携帯電話用ホームページにおいて、その記述内容の変更が容易に行うことができる携帯電話用ホームページの構成法を提供する。【解決手段】  携帯電話用ホームページにおいて、複数のページに共通に記述され頻繁にその内容の変更をする必要がある記述部分を、当該ホームページ内に配置した少数の別ファイルに記述し、携帯電話用ホームページを構成する多数のページの各々に、分離した別ファイルに記述した内容をＳＳＩコマンドを用いて差し込みを行うことによって、少数の別ファイルのメンテナンスを行うのみで携帯電話用ホームページの各ページの内容を最新状態に保つことを特徴とする。【選択図】図３
2008192107.tif 000002
【特許請求の範囲】
【請求項１】
日々のメンテナンスで更新を必要とする複数の同一記述内容が多数のページに含まれる携帯電話用ホームページにおいて、当該携帯電話用ホームページを構成するＨＴＭＬ文法で記述されたページ群をＳＳＩ（Sever Side Include）技術がサポートされたウエッブサーバ内に配置し、複数のページで共通の記述内容を当該ホームページを構成する各々のページから切り分け、当該ホームページ内の適切な場所に設けた特定のフォルダ内に複数のファイルを配し、前記ファイル群に前述の携帯電話用ホームページを構成する複数のページから切り分けた記述内容を記述するとともに、前述の携帯電話用ホームページの各ページより記述を切り分けた部分にＳＳＩ技術による差し込みコマンドである include virtual もしくは include file コマンドを記述し、当該ホームページ内の適切なフォルダ内に設けた複数のファイルの内、１ないし複数のファイルの記述内容を差し込むことによって、当該携帯電話用ホームページの各々のページの表示を再構成し、比較的頻繁に日常的メンテナンスを必要とする記述部分の変更や修正を当該携帯電話用ホームページの全てのページについて行うのではなく、当該ホームページ内の適切な場所に設けた特定のフォルダ内の複数のファイルの記述のみをメンテナンスすることにより、当該ホームページの大多数のページについて、その内容を変更更新するように構成されたことを特徴とする携帯電話用ホームページの構成法。
【請求項２】
前記ホームページにおいて、アフィリエイト報酬を目的とした広告タグを本体ページから分離したファイル群に記述したことを特徴とする請求項１のホームページ構成法。
【請求項３】
前記ホームページにおいて、携帯電話用ランキングサイトから発行された自己サイトのランキングタグを本体ページから分離したファイル群に記述したことを特徴とする請求項１のホームページ構成法。
【請求項４】
前記ホームページにおいて、複数の本体ページのページ色や文字色を規定するＨＴＭＬタグを本体ページから分離したファイル群に記述したことを特徴とする請求項１のホームページ構成法。
【発明の詳細な説明】
【技術分野】
【０００１】
本発明は、日々のメンテナンスにおいて、その記述内容の更新や変更を比較的頻繁に必要とする複数の同一記述が多数のページに共通に使われ、かつホームページを構成するページ数が多い携帯電話用ホームページの構成法に関する。
【背景技術】
【０００２】
携帯電話用ホームページは、各々のページがＨＴＭＬ言語で記述されるが、多数のページから構成される携帯電話用ホームページにおいては、複数のページで同一の記述が繰り返し共通に使われることが多く、これらの各々のページに同一の記述を繰り返してＨＴＭＬ言語で記述する必要がある。
【０００３】
例えば、アフィリエイト報酬成果を得るために作成された携帯電話用ホームページの例では、複数のページに同じ広告タグの記述が記載されることが一般的におこなわれている。
【０００４】
この場合において、アフィリエイト広告が出稿停止になった際には、携帯電話用ホームページの複数のページに記述された同一の広告タグが記述された全てのページについて、ＨＴＭＬ文書を書き換えて当該広告を削除し、異なる広告に入れ替える作業が行われる。
【０００５】
また別の例として、携帯電話用ホームページにアクセスを集める手段として、当該ホームページのタイトルやＵＲＬなどを外部の携帯電話用ランキングサイトに登録することが一般的に行われているが、この場合、登録したランキングサイトから発行されるランキングタグを自己の携帯電話用ホームページを構成する複数のページにＨＴＭＬ形式にて貼り付けることが一般に行われている。
【０００６】
この場合、もし自己の携帯電話用ホームページを登録した外部ランキングから自己の携帯電話用ホームページの登録が削除抹消された場合、別のランキングサイトに登録し直し、古いランキングサイトから発行されたランキングタグが記述された自己携帯電話用ホームページの全てのページについて、新しいランキングサイトから発行されたランキングタグに書き換える必要が生じる。
【０００７】
また、多数のページから構成される携帯電話用ホームページにおいては、全てのページもしくは全てのページの何割かのページが、同一のページ背景色、同一の文字色が指定されることが多いが、何ヶ月かに１度程度の割合でページ背景色や文字色を変更する場合、該当するページの全てについてページ背景色や文字初期を規定するＨＴＭＬコマンドの書き換えを必要とする。
【非特許文献１】URL  http://www.scollabo.com/banban/ssi/index.html   SSI入門
【発明の開示】
【発明が解決しようとする課題】
【０００８】
上述の如く、内容が同一の記述が多数のページに含まれる携帯電話用ホームページにおいて、例えば広告の出稿停止や、登録した外部ランキングサイトから自己携帯用ホームページの登録が削除されたりなどの理由により、自己携帯電話用ホームページの多数のページについて同一内容の記述を変更する必要が生じた際、当該広告や当該ランキングのタグが記載された多数のページの修正を行う必要があり、ページ数が数百ページとか数千ページを越えるような携帯電話用ホームページの場合、その記述内容の変更を必要となった全てのページについて行うことは容易ではない。
【０００９】
また当該ホームページのページ背景色や文字色の変更を行う場合、該当するページの全てについてページ背景色や文字初期を規定するＨＴＭＬコマンドの書き換えを必要とし、当該ホームページのページ数が多い場合にはその変更作業は容易ではない。
【００１０】
この為、往々にして、多数のページから構成される携帯電話用ホームページでは記述内容の間違いが更新されないとか、必要な修正変更がなされず放置されることが多いのが現状である。
【課題を解決するための手段】
【００１１】
本発明は、このような点に鑑みてなされたものであり、携帯電話用ホームページにおいて複数のページで共通して記述される記述部分を、日常のメンテナンスが容易な程度の数の少数の別ファイルに集約し、当該別ファイル群を当該ホームページを構成するページ群の適切な位置に配置し、複数準備した当該別ファイルの記述内容を携帯電話用ホームページの複数のページに差し込む用に構成されたことを特徴とする。
【００１２】
本体ページに別ファイル化したファイルの記述内容を差し込むにあたっては、ＰＣ用ホームページにおいて、ヘッダー部分やフッター部分などの日々メンテナンスを必要としない記述を複数のページ間で統一するために用いられるＳＳＩ（Server Side Include）技術の include virtual コマンドや include file コマンドを用いることによって、これらのコマンドをサポートしているウエッブサーバ内に携帯電話用ホームページを配置することにより容易に実現することが出来る。
【発明の効果】
【００１３】
以上説明したように本発明によれば、例えば５００ページから構成される携帯電話用ホームページを想定した場合でも、同一サイト内に配置された異なる内容が記述された別ファイルを例えば２０種類程度準備し、これらの２０種類の別ファイルをＳＳＩ技術により 全５００ページの本体ページに分散し、かつ同じ別ファイルを共通に自動差込を行うことにより、日常メンテナンスを必要とするファイル数を、５００ページから２０ページに集約することができ、著しいメンテナンス性の改善が図れる。
【発明を実施するための最良の形態】
【００１４】
以下、本発明の実施の形態を図面に基づき詳細に説明する。
【実施例】
【００１５】
図１はＨＴＭＬ言語で記述された携帯電話用ホームページの１ページの構成例をブロック化して示す。
【００１６】
図２は、図１の構成のページにおいて、複数のページで同一内容が記載される部分を別ファイル化し、本体ページにＳＳＩ技術のコマンドである include virtual コマンドもしくは include fileコマンドを用いて、当該外部ファイルを本体ページに差し込む様に構成した例を示す。
【００１７】
図３は、本発明にかかる技術を用いて構成した携帯電話用ホームページの全体像を概観的に示したものであり、当該ホームページ内に配置された少数の異なる別ファイルを、別ファイルよりファイル数、即ちページ数が多い本体ページに規則性を持って、もしくはランダムに複数の別ファイルの記述内容を差し込んだ状態を示す。
【００１８】
図３において、日常的にその内容を最新状態に保つためにメンテナンスが必要な記述部分を別ファイル化することによって、日常のメンテナンスは少数の当該別ファイルのみでよくなり、ウエッブサーバ内でこれらの別ファイルが自動的にＳＳＩ技術によって差し込まれる為、多数の本体側ページの日常的メンテナンスは必要としなくなる。
【産業上の利用可能性】
【００１９】
本発明は多数のページからなる携帯電話用ホームページの構成法として利用することが出来る。
【図面の簡単な説明】
【００２０】
【図１】従来技術で構成された携帯電話用ホームページの１ページの構成例である。
【図２】図１の構成例を本発明による技術を用いて当該ページを再構成した構成例である。
【図３】図２の構成例を用いて複数のページから構成された携帯電話用ホームページの全体像を示す構成例である。
【符号の説明】
【００２１】
11              従来技術により構成された携帯電話用ホームページの１ページ
12、14、16      日々のメンテナンスを必要としない記述部分
13、15          日々のメンテナンスにより更新・変更を必要とする記述部分
17              本発明による携帯電話用ホームページの１ページ
18、19          別ファイル化した内容を差し込むための差し込みコマンド
20、22          別ファイル化したファイルの記述内容の差し込み
21、23          日々の更新・変更を必要とする記述部分を有するファイル
24、25、26、27  日々の更新・変更を必要とする記述部分を有するファイル
28              ファイルに記載された記述の差し込み
29〜38          携帯電話用ホームページを構成するページ群
【図１】
2008192107.tif 000003
【図２】
2008192107.tif 000004
【図３】
2008192107.tif 000005